(57)【要約】【課題】巻きばねの巻部への毛髪の巻き込みを防止すると共に、相接する軸受突片間の隙間への毛髪の巻き込みを防止することができる髪止め具を提供する。【解決手段】一対の挟持片１、２の後側に位置する開閉操作部１ｂ、２ｂ側の内面に、対向する挟持片２、１に向かって突出する一対の軸受突片５、５、７、７が突設され、これら軸受突片５、５、７、７を介して両挟持片１、２が組み合わされると共に、前記軸受突片５、５、７、７に挿通された枢軸３に巻きばね４が巻装され、この巻きばね４により両挟持片１、２の前側に位置する開閉部１ａ、２ａどうしが常に閉じ合わせ方向に付勢されてなるものとし、相接する軸受突片５、５、７、７のうち、内側に位置する軸受突片５、５の間に、前記枢軸３に巻装された巻きばね４の巻部４ａの前側を被うカバー６を設けたものとしている。【選択図】        図１
2004194967.tif 000002
【特許請求の範囲】
【請求項１】
一対の挟持片（１、２）の後側に位置する開閉操作部（１ｂ、２ｂ）側の内面に、対向する挟持片（２、１）に向かって突出する一対の軸受突片（５、５、７、７）が突設され、これら軸受突片（５、５、７、７）を介して両挟持片（１、２）が組み合わされると共に、前記軸受突片（５、５、７、７）に挿通された枢軸（３）に巻きばね（４）が巻装され、この巻きばね（４）により両挟持片（１、２）の前側に位置する開閉部（１ａ、２ａ）どうしが常に閉じ合わせ方向に付勢されてなるものとし、相接する軸受突片（５、５、７、７）のうち、内側に位置する軸受突片（５、５）の間に、前記枢軸（３）に巻装された巻きばね（４）の巻部（４ａ）の前側を被うカバー（６）を設けたことを特徴とする髪止め具。
【請求項２】
一対の挟持片（１、２）の後側に位置する開閉操作部（１ｂ、２ｂ）側の内面に、対向する挟持片（２、１）に向かって突出する一対の軸受突片（５、５、７、７）が突設され、これら軸受突片（５、５、７、７）を介して両挟持片（１、２）が組み合わされると共に、前記軸受突片（５、５、７、７）に挿通された枢軸（３）に巻きばね（４）が巻装され、この巻きばね（４）により両挟持片（１、２）の前側に位置する開閉部（１ａ、２ａ）どうしが常に閉じ合わせ方向に付勢されてなるものとし、相接する軸受突片（５、５、７、７）のうち、内側に位置する軸受突片（５、５）の間に、前記枢軸（３）に巻装された巻きばね（４）の巻部（４ａ）の前側を被うカバー（６）を設け、さらに前記相接する軸受突片（５、５、７、７）のうち、内側に位置する軸受突片（５、５）の外面に、外側に位置する軸受突片（７、７）がそれぞれ遊嵌される凹溝（８、８）を設けると共に、これら凹溝（８、８）に、前記軸受突片（７、７）の前側縁（７ａ）および上側縁（７ｂ）を被うカバー（９）を設けたことを特徴とする髪止め具。
【発明の詳細な説明】
【０００１】
【発明の属する技術分野】
この発明は、髪の毛をセットするときに使用したり、セット後の髪の毛を止めておくために使用したりする髪止め具に関するものである。
【０００２】
【従来の技術】
従来、この種の髪止め具として、例えば図５〜７に示したようなものが存在する。この髪止め具は、一対の挟持片１１、１２の開閉操作部１１ｂ、１２ｂ側の一端部の内面に、対応する挟持片１２、１１に向かって突出する一対の軸受突片１３、１３、１４、１４が突設され、これら軸受突片１３、１３、１４、１４を介して両挟持片１１、１２が組み合わされている。さらに、前記軸受突片１３、１３、１４、１４に挿通された枢軸１５に巻きばね１６が巻装され、この巻きばね１６により両挟持片１１、１２の他端部１１ａ、１２ａどうしが常に閉じ合わせ方向に付勢されてなるものとしている。
【０００３】
そして、相接する軸受突片１３、１４のうち、外側に位置する一方の軸受突片１３に、前記枢軸１５よりも他端部１１ａ、１２ａ側に位置する側縁に沿って、内側に位置する他方の軸受突片１４の対応側縁に被さる毛髪巻き込み防止部１７、１７が設けられている。さらに、毛髪巻き込み防止部１７、１７は、両挟持片１１、１２の閉じ合わせ状態の下で、少なくとも枢軸１５の下方にまで延設されてなる一方、他方の軸受突片１４、１４の下端部に前記毛髪巻き込み防止部１７、１７に対応する切欠部１４ｂ、１４ｂが設けられている。
【０００４】
なお、前記軸受突片１３、１３、１４、１４に挿通された枢軸１５は、リベットとしており、この枢軸１５の抜け止め部としての頭部１５ａおよびかしめ部１５ｂは、外側に位置する一方の軸受突片１３、１３の外面に突出するものとしている。そして、これら頭部１５ａおよびかしめ部１５ｂは、軸受突片１３、１３の枢軸貫通孔１３ａ、１３ａ周端外面に形成された環状突部１８、１８内に位置するものとしている。
【０００５】
このように構成された従来の髪止め具は、相接する軸受突片１３、１４間の隙間が前記毛髪巻き込み防止部１７により覆われることになるので、相接する軸受突片１３、１４間の隙間への毛髪の巻き込みが防止される。これにより、頭髪への装着状態から髪止め具を外す際に、毛髪が髪止め具に引っ張られて抜け落ちることによる痛み、不快感を使用者に感じさせることがないようにしている（特許文献１参照）。
【特許文献１】
特許第３３３８００１号公報（第１頁、図１〜３）
【０００６】
【発明が解決しようとする課題】
しかしながら、従来の髪止め具では、上記したように相接する軸受突片１３、１４のうち、外側に位置する一方の軸受突片１３に、枢軸１５よりも他端部１１ａ、１２ａ側に位置する側縁に沿って、内側に位置する他方の軸受突片１４の対応側縁に被さる毛髪巻き込み防止部１７、１７が設けられているが、これら毛髪巻き込み防止部１７、１７は、図６に示されるように、巻きばね１６の巻部１６ａに被さるようにはされていない。
【０００７】
したがって、従来の髪止め具では、相接する軸受突片１３、１４間の隙間が前記毛髪巻き込み防止部１７により覆われることになり、相接する軸受突片１３、１４間の隙間への毛髪の巻き込みが防止されるが、巻きばね１６の巻部１６ａは前記毛髪巻き込み防止部１７には覆われず露出しているため、この巻きばね１６の巻部１６ａへの毛髪の巻き込みは防止されないという問題点を有していた。
【０００８】
そこで、この発明は、上記従来の問題点を解決することをその課題としており、前記巻きばねの巻部への毛髪の巻き込みを防止すると共に、前記相接する軸受突片間の隙間への毛髪の巻き込みを防止することができる髪止め具を提供することを目的としてなされたものである。
【０００９】
【課題を解決するための手段】
そのため、この発明の髪止め具は、一対の挟持片１、２の後側に位置する開閉操作部１ｂ、２ｂ側の内面に、対向する挟持片２、１に向かって突出する一対の軸受突片５、５、７、７が突設され、これら軸受突片５、５、７、７を介して両挟持片１、２が組み合わされると共に、前記軸受突片５、５、７、７に挿通された枢軸３に巻きばね４が巻装され、この巻きばね４により両挟持片１、２の前側に位置する開閉部１ａ、２ａどうしが常に閉じ合わせ方向に付勢されてなるものとし、相接する軸受突片５、５、７、７のうち、内側に位置する軸受突片５、５の間に、前記枢軸３に巻装された巻きばね４の巻部４ａの前側を被うカバー６を設けたものとしている。
【００１０】
さらに、この発明の髪止め具は、前記相接する軸受突片５、５、７、７のうち、内側に位置する軸受突片５、５の外面に、外側に位置する軸受突片７、７がそれぞれ遊嵌される凹溝８、８を設けると共に、これら凹溝８、８に、前記軸受突片７、７の前側縁７ａおよび上側縁７ｂを被うカバー９を設けたものとしている。
【００１１】
【発明の実施の形態】
以下、この発明の髪止め具の実施の形態を、図面に基づいて詳細に説明する。
【００１２】
図示したこの発明の髪止め具は、上下一対の挟持片１、２が、長尺平坦形状として前側に位置する開閉部１ａ、２ａが下方に少し垂れるように形成され、後側に位置する開閉操作部１ｂ、２ｂ側において組み合わされ、枢軸３に巻装された巻きばね４により、前記開閉部１ａ、２ａどうしが、常に閉じ合わせ方向に付勢されてなるものとしている。
【００１３】
挟持片１は、硬質または半硬質の合成樹脂等からなるものとし、後側に位置する開閉操作部１ｂ側の内面に、対向する挟持片２に向かって突出する一対の軸受突片５、５が間隔をおいて突設されている。これら軸受突片５、５には、中央部にリベット等からなる前記枢軸３が貫通される貫通孔５ａ、５ａが設けられている。そして、軸受突片５、５の間には、前記枢軸３に巻装された巻きばね４の巻部４ａの前側を被うカバー６を設けたものとしている。このカバー６は、図に示したものは、軸受突片５、５の下端まで設けたものとしているが、軸受突片５、５の下方まで延設したものとしても、軸受突片５、５の下端より少し上まで設けたものとしてもよい。さらに、軸受突片５、５の外面には、後に述べる挟持片２の軸受突片７、７がそれぞれ遊嵌される凹溝８、８を設けると共に、これら凹溝８、８に、前記軸受突片７、７の前側縁７ａおよび上側縁７ｂを被うカバー９を設けたものとしている。このカバー９は、前記凹溝８、８の前壁８ａから上壁８ｂにかけて形成した差込み部としており、後に述べる枢軸３の頭部３ａおよびかしめ部３ｂがそれぞれ、髪止め具の側面から食み出ない厚さにしている。このようにすると、これら枢軸３の頭部３ａおよびかしめ部３ｂに使用者が指先などを引っ掛けてしまうことがなく、髪止め具が取り扱い易いものとなる。
【００１４】
挟持片２は、アルミニウム等の金属板をプレス成形したりしてなるものとし、後側に位置する開閉操作部２ｂ側の内面に、前記挟持片１に向かって突出し、この挟持片１の軸受突片５、５に相接して組み合わされる一対の軸受突片７、７が間隔をおいて突設されている。これら軸受突片７、７は、いずれも組み合わされたときに、前記軸受突片５、５の凹溝８、８に遊嵌されて、軸受突片５、５の外側から相接するものとしている。さらに、これら軸受突片７、７には、中央部に前記枢軸３が貫通される貫通孔７ｃ、７ｃが設けられている。また、前記軸受突片７、７の前側縁７ａの下部には、枢軸３の下方まで切り欠いた切欠部７ｄを設けたものとすることができる。この場合、前記カバー９は、この切欠部７ｄをも被うようにしている。
【００１５】
枢軸３は、アルミニウム等の金属からなるリベットなどすることができ、前記挟持片１の軸受突片５、５の外側に、挟持片２の軸受突片７、７を接するようにして両挟持片１、２を組み合わせた後、これら両挟持片１、２間に巻きばね４を位置させ、この巻きばね４の巻部４ａ内部に貫通すると共に貫通孔５ａ、５ａ、７ｃ、７ｃに貫通し、抜け止め部となる先端の頭部３ａを軸受突片７、７の一方に当接させ、後端のかしめ部３ｂを軸受突片７、７の他方にかしめることにより、両挟持片１、２を連結するものとしている。
【００１６】
巻きばね４は、ダブルトーション形としているがシングルトーション形としてもよく、巻部４ａ内部に前記枢軸３を貫通すると共に、中央折返し部４ｂを開閉操作部１ｂ、２ｂの内面の一方に当接させ、両巻端部４ｃを開閉操作部１ｂ、２ｂの内面の他方に当接させたものとしている。図示したものは、巻きばね４の中央折返し部４ｂを開閉操作部１ｂの内面に当接させ、巻きばね４の両巻端部４ｃを開閉操作部２ｂの内面に当接させたものとしているが、これを逆にしてもよい。
【００１７】
【発明の効果】
この発明の髪止め具は、以上に述べたように構成されており、相接する軸受突片５、５、７、７のうち、内側に位置する軸受突片５、５の間に、枢軸３に巻装された巻きばね４の巻部４ａの前側を被うカバー６を設けたものとしているので、このカバー６によって巻きばね４の巻部４ａに毛髪が接触しないようになり、この巻きばね４の巻部４ａへの毛髪の巻き込みを防止することができる。
【００１８】
さらに、この発明の髪止め具は、前記相接する軸受突片５、５、７、７のうち、内側に位置する軸受突片５、５の外面に、外側に位置する軸受突片７、７がそれぞれ遊嵌される凹溝８、８を設けると共に、これら凹溝８、８に、前記軸受突片７、７の前側縁７ａおよび上側縁７ｂを被うカバー９を設けたものとしているので、相接する軸受突片５、７間の隙間への毛髪の巻き込みを防止することができる。
【００１９】
これにより、この発明の髪止め具は、頭髪への装着状態から髪止めを外す際に、毛髪が髪止め具に引っ張られて抜け落ちることによる痛み、不快感を使用者に感じさせないものとなった。
【図面の簡単な説明】
【図１】この発明の髪止め具の一実施形態を示す側面図である。
【図２】図１に示すこの発明の髪止め具の斜視図である。
【図３】図２中のＡ−Ａ線によるこの発明の髪止め具の断面図である。
【図４】図１に示すこの発明の髪止め具の分解斜視図である。
【図５】従来の髪止め具の一例を示す斜視図である。
【図６】図５中のＢ−Ｂ線による従来の髪止め具の断面図である。
【図７】図５に示す従来の髪止め具の分解斜視図である。
【符号の説明】
１  挟持片
１ａ  開閉部
１ｂ  開閉操作部
２  挟持片
２ａ  開閉部
２ｂ  開閉操作部
３  枢軸
４  巻きばね
４ａ  巻部
５  軸受突片
６  カバー
７  軸受突片
７ａ  前側縁
７ｂ  上側縁
８  凹部
９  カバー
【図１】
2004194967.tif 000003
【図２】
2004194967.tif 000004
【図３】
2004194967.tif 000005
【図４】
2004194967.tif 000006
【図５】
2004194967.tif 000007
【図６】
2004194967.tif 000008
【図７】
2004194967.tif 000009